(57)【要約】【課題】端子ピンを備える雄型コネクタを挿入孔を備える雌型コネクタに挿し込む際に、端子ピンが雌型コネクタの先端部に当接することを回避できる汎用性の高い位置決め部材を提供する。【解決手段】平面視矩形状の矩形貫通孔１１を有する筒状に形成されて、矩形貫通孔１１の貫通方向の一端部側が雌型コネクタ２を挿入して収容する収容空間１２とされた位置決め部材１０を提供する。そして、この位置決め部材１０の矩形貫通孔１１を構成する四つの平坦内面１１ａには、矩形貫通孔１１の他端部側から一端部側に向かうにしたがって矩形貫通孔１１の内方側に傾斜する傾斜案内面１３をそれぞれ形成する。また、傾斜案内面１３を収容空間１２よりも矩形貫通孔１１の他端部側に配する。【選択図】図７
2010080398.tif 000002
【特許請求の範囲】
【請求項１】
平面視矩形状の雄型コネクタを雌型コネクタに挿し込む際に、前記雄型コネクタに備える端子ピンを、前記雌型コネクタに形成されて前記端子ピンを挿入する挿入孔に対して位置決めする位置決め部材であって、
平面視矩形状の矩形貫通孔を有する筒状に形成されて、当該矩形貫通孔の貫通方向の一端部側が前記雌型コネクタを挿入して収容する収容空間とされ、
前記矩形貫通孔を構成する四つの平坦内面には、前記矩形貫通孔の他端部側から一端部側に向かうにしたがって前記矩形貫通孔の内方側に傾斜する傾斜案内面がそれぞれ形成され、
当該傾斜案内面が、前記収容空間よりも前記矩形貫通孔の他端部側に配されていることを特徴とする位置決め部材。
【請求項２】
前記矩形貫通孔の周方向に分割された２つの弧状部材によって構成され、
これら２つの弧状部材が、互いに同一形状を呈すると共に、連結機構によって相互に連結されることを特徴とする請求項１に記載の位置決め部材。
【請求項３】
平面視で前記矩形貫通孔の相対する一対の辺の長さ寸法が変化するように、前記２つの弧状部材を相互に摺動可能とする摺動機構を備えることを特徴とする請求項２に記載の位置決め部材。
【請求項４】
少なくとも前記他端部側が、電気的な絶縁材料によって形成されていることを特徴とする請求項１から請求項３のいずれか１項に記載の位置決め部材。
【請求項５】
基台の搭載面に搭載された請求項１から請求項４のいずれか１項に記載の位置決め部材と、当該位置決め部材の収容空間に収容されるように前記搭載面に搭載された前記雌型コネクタとを備える位置決め構造であって、
前記傾斜案内面が、前記搭載面から突出する前記雌型コネクタの先端部の上方に配置されていることを特徴とする位置決め構造。
【発明の詳細な説明】
【技術分野】
【０００１】
この発明は、雄型コネクタを雌型コネクタに挿し込むための位置決め部材、及び、これを備える位置決め構造に関する。
【背景技術】
【０００２】
一般に、電子機器や電気配線を相互に電気接続する構造としては、雄型コネクタを雌型コネクタに挿し込むコネクタ構造が幅広く利用されている。雄型コネクタは、複数の端子ピンを備えて構成されており、また、雌型コネクタはその先端部に開口して雄型コネクタの端子ピンを個別に挿入するための複数の接続孔を備えて構成されている。このような構成のコネクタ構造においては、複数の端子ピンが個別の接続孔に挿入されるようになっている
従来、このようなコネクタ構造においては、例えば図１６に示すように、雌型コネクタ１０１の側部に位置決めガイド部材１０５を１つ設けて、挿し込みの際に雄型コネクタ１０３を雌型コネクタ１０１に対して位置合わせすることが図られている。
【０００３】
なお、図１６に示す位置決め構造は、２つの電子機器１０２，１０４に各々設けられた雄型コネクタ１０３と雌型コネクタ１０１との位置決めに使用される。すなわち、雌型コネクタ１０１を有する電子機器１０２（以下、雌型電子機器１０２とも呼ぶ）には孔部１０９が形成されており、雄型コネクタ１０３を有する電子機器１０４（以下、雄型電子機器１０４とも呼ぶ）には孔部１０９に係合する爪部１１０が形成されている。また、前述した位置決めガイド部材１０５は、雌型コネクタ１０１と孔部１０９との間に配されており、雌型コネクタ１０１の側部に対面する位置にテーパ面１０７を形成して構成されている。なお、このテーパ面１０７は、雌型コネクタ１０１に対する雄型コネクタ１０３の挿入方向に向かうにしたがって、雌型コネクタ１０１の側部に近づくように形成されている。
【０００４】
そして、雄型コネクタ１０３を雌型コネクタ１０１に挿し込む場合には、雌型電子機器１０２の孔部１０９に雄型電子機器１０４の爪部１１０を挿入し、爪部１１０を中心に雄型電子機器１０４を回転させることで、雄型コネクタ１０３が雌型コネクタ１０１に近づく。このように雄型コネクタ１０３が雌型コネクタ１０１に近づく際には、雄型コネクタ１０３の端部が位置決めガイド部材１０５のテーパ面１０７に当接するため、この当接状態でさらに雄型電子機器１０４を回転させることで、雄型コネクタ１０３がテーパ面１０７に沿って動き、雌型コネクタ１０１に対して位置合わせされることになる。
【特許文献１】特開平５−３０３９８７号公報
【発明の開示】
【発明が解決しようとする課題】
【０００５】
しかしながら、図１６に示す位置決め構造では、２つの電子機器１０２，１０４に各々設けられた雄型コネクタ１０３と雌型コネクタ１０１との位置合わせに限られるため、その汎用性が低いという問題がある。
また、図１６に示す位置決め構造では、（１）位置決めガイド部材１０５のテーパ面１０７が雌型コネクタ１０１の先端部よりも下方に配置されて雌型コネクタ１０１の側部に対面している、（２）雄型電子機器１０４を回転させることで雄型コネクタ１０３を雌型コネクタ１０１に挿し込む、（３）雄型コネクタ１０３を図１６における紙面の左右方向のみにガイドすることで雌型コネクタ１０１に対して位置合わせしているだけに過ぎず、雄型コネクタ１０３を紙面の垂直方向にガイドしていない。従来の位置決め構造では、これら３つの理由によって、雄型コネクタ１０３を雌型コネクタ１０１に挿し込む際に、端子ピン１１２が雌型コネクタ１０１の先端部に当接する虞が生じる。そして、端子ピン１１２が雌型コネクタ１０１の先端部に当接した場合には、端子ピン１１２が変形する虞があるだけでなく、雌型コネクタ１０１の先端部が導電性を有していると、複数の端子ピン１１２の間で電気的な短絡が発生する、という不具合も生じる。
【０００６】
この発明は、上述した事情に鑑みたものであって、雄型コネクタを雌型コネクタに挿し込む際に端子ピンが雌型コネクタの先端部に当接することを回避できる汎用性の高い位置決め部材、及び、これを備える位置決め構造を提供することを目的とする。
【課題を解決するための手段】
【０００７】
この課題を解決するために、本発明の位置決め部材は、平面視矩形状の雄型コネクタを雌型コネクタに挿し込む際に、前記雄型コネクタに備える端子ピンを、前記雌型コネクタに形成されて前記端子ピンを挿入する挿入孔に対して位置決めする位置決め部材であって平面視矩形状の矩形貫通孔を有する筒状に形成されて、当該矩形貫通孔の貫通方向の一端部側が前記雌型コネクタを挿入して収容する収容空間とされ、前記矩形貫通孔を構成する四つの平坦内面には、前記矩形貫通孔の他端部側から一端部側に向かうにしたがって前記矩形貫通孔の内方側に傾斜する傾斜案内面がそれぞれ形成され、当該傾斜案内面が、前記収容空間よりも前記矩形貫通孔の他端部側に配されていることを特徴としている。
【０００８】
この位置決め部材は、例えば電子機器の筐体や建物の壁部等の基台の搭載面上に配された雌型コネクタが位置決め部材の収容空間に収容されるように、基台の搭載面に配置すればよい。この状態においては、傾斜案内面を含む位置決め部材の他端部側が、搭載面から突出する前記雌型コネクタの先端部よりも上方に配置されることになる。このように位置決め部材を取り付けた状態において雄型コネクタを雌型コネクタに挿し込む際には、雄型コネクタを矩形貫通孔の他端部側からこの矩形貫通孔に挿入すればよい。
【０００９】
この挿入の際に、雄型コネクタが雌型コネクタに対して挿し込み方向に直交する方向にずれている場合には、一の平坦内面に対向する雄型コネクタの一の側面の端部が、一の平坦内面に形成された傾斜案内面に当接する。このため、この当接状態から雄型コネクタをさらに挿し込み方向に移動させると、雄型コネクタが傾斜案内面によって矩形貫通孔の内方に案内されることになる。そして、このように案内された雄型コネクタは、その一の側面の反対側に位置する他の側面が、一の平坦内面に対向する他の平坦内面に形成された傾斜案内面に当接するため、結果として、雌型コネクタに対する雄型コネクタのずれを解消することができる。
【００１０】
また、挿入の際に、端子ピンの長手方向が挿し込み方向に対して傾斜している場合でも、前述と同様に、雄型コネクタの一の側面の端部が、一の平坦内面に形成された傾斜案内面に当接するため、雄型コネクタが傾斜案内面によって矩形貫通孔の内方に案内されることになる。そして、このように案内された雄型コネクタは、その一の側面の反対側に位置する他の側面が、他方の平坦内面に形成された傾斜案内面にも当接するため、結果として、端子ピンの長手方向が挿し込み方向に一致するように雄型コネクタの向きを偏向することができる。
【００１１】
そして、本発明の位置決め部材では、平面視矩形状の雄型コネクタを矩形貫通孔に挿入した際に雄型コネクタの４つの側面に対向する全ての平坦内面に傾斜案内面が形成されているため、雌型コネクタに対して雄型コネクタがずれる方向に係わらず、雌型コネクタに対する雄型コネクタのずれを解消することができる。また、挿し込み方向に対して端子ピンが傾斜する向きに係わらず、端子ピンの長手方向が挿し込み方向に一致するように雄型コネクタの向きを偏向することもできる。したがって、雄型コネクタを雌型コネクタに挿し込む際には、雄型コネクタを雌型コネクタに対して位置決めすることができる。
また、傾斜案内面は、挿入孔が開口する雌型コネクタの先端部よりも矩形貫通孔の他端部側に配されているため、端子ピンが雌型コネクタの先端部に接触する前に雄型コネクタのずれや端子ピンの向きを修正することができる。したがって、端子ピンが雌型コネクタの先端部に当接することを防止できる。
【００１２】
なお、前記位置決め部材は、前記矩形貫通孔の周方向に分割された２つの弧状部材によって構成され、これら２つの弧状部材が、互いに同一形状を呈すると共に、連結機構によって相互に連結されていてもよい。
上記のように、位置決め部材を２つの弧状部材によって構成する場合には、筒状の位置決め部材を一体に成形する場合と比較して容易に製造することができる。また、２つの弧状部材を同一形状に形成することで、位置決め部材の製造コストの削減を図ることができる。
【００１３】
また、前記位置決め部材は、平面視で前記矩形貫通孔の相対する一対の辺の長さ寸法が変化するように、前記２つの弧状部材を相互に摺動可能とする摺動機構を備えしていてもよい。
この場合には、２つの弧状部材を摺動機構により相互に摺動させることで、前記長さ寸法を変化させることができるため、平面視矩形状の一辺の長さ寸法が相互に異なるコネクタに使用することが可能となる。すなわち、位置決め部材の汎用性がさらに向上し、その製造コスト削減をさらに図ることができる。
【００１４】
また、前記位置決め部材の少なくとも前記他端部側は、電気的な絶縁材料によって形成されていることが好ましい。
この場合には、雄型コネクタを雌型コネクタに挿し込む際に、端子ピンが平坦内面や傾斜案内面を含む矩形貫通孔の他端部側に接触しても、端子ピン間で電気的な短絡が発生することを防止できる。
【００１５】
また、本発明の位置決め構造は、基台の搭載面に搭載された請求項１から請求項４のいずれか１項に記載の位置決め部材と、当該位置決め部材の収容空間に収容されるように前記搭載面に搭載された前記雌型コネクタとを備え、前記傾斜案内面が、前記搭載面から突出する前記雌型コネクタの先端部の上方に配置されていることを特徴としている。
【発明の効果】
【００１６】
本発明によれば、雄型コネクタを雌型コネクタに挿し込む際には、雄型コネクタを雌型コネクタに対して位置決めすることができる。
また、端子ピンが雌型コネクタの先端部に当接することも防止できるため、端子ピンの保護を図ることができ、さらに、雌型コネクタの先端部が導電性を有していても、複数の端子ピンの間で電気的な短絡が発生することも防止できる。
さらに、本発明の位置決め部材は、雌型コネクタを配した基台の搭載面さえあれば何処でも設けることが可能であるため、汎用性の高い位置決め構造として構成することができる。
【発明を実施するための最良の形態】
【００１７】
以下、図面を参照して本発明の実施形態について説明する。
図１〜９に示すように、第１実施形態に係る位置決め部材１０は、平面視矩形状に形成された雌型コネクタ２に対してこれに対応する形状の雄型コネクタ３を挿し込む際に、雄型コネクタ３の端子ピン５を雌型コネクタ２の挿入孔４に対して位置決めするものであり、平面視矩形状の矩形貫通孔１１を有する筒状に形成されている。
【００１８】
位置決め部材１０を構成する矩形貫通孔１１の貫通方向（Ｚ軸方向）の一端部側（矩形貫通孔１１のうちＺ軸の負方向側）は、雌型コネクタ２を挿入して収容する収容空間１２とされている。そして、この収容空間１２よりも矩形貫通孔１１の他端部側（矩形貫通孔１１のうちＺ軸の正方向側）には、複数の傾斜案内面１３が形成されている。
複数の傾斜案内面１３は、矩形貫通孔１１を構成する四つの平坦内面１１ａにそれぞれ形成されており、矩形貫通孔１１の他端部側から一端部側（Ｚ軸負方向）に向かうにしたがって、矩形貫通孔１１の内方側に傾斜している。
なお、相対する一対の平坦内面１１ａに形成された一対の傾斜案内面１３のうち収容空間１２側に位置する端部間の距離は、相対する一対の平坦内面１１ａの対面方向に関して、互いに反対側に向く雄型コネクタ３の一対の側面間の距離に対して同等、或いは、僅かに長く設定されている。
【００１９】
さらに具体的に説明すると、この位置決め部材１０は、板状に形成されてＸ軸方向に沿って延びる一対の長辺側壁部１５と、板状に形成されてＹ軸方向に沿って延びる一対の短辺側壁部１６とから構成されている。そして、この位置決め部材１０は、矩形貫通孔１１の周方向に分割された２つの弧状部材２０Ａ，２０Ｂを連結することで構成され、これら２つの弧状部材２０Ａ，２０Ｂは互いに同一形状を呈している。
【００２０】
すなわち、各弧状部材２０Ａ，２０Ｂは、樹脂等の電気的な絶縁材料により平面視略Ｌ字状に屈曲された板状に形成されており、それぞれ前述した長辺側壁部１５及び短辺側壁部１６を１つずつ備えている。そして、各弧状部材２０Ａ，２０Ｂの屈曲部分からＹ軸方向に延びる短辺側壁部１６の先端部分には、短辺側壁部１６の厚さ方向に貫通するスリット状の係合孔１８が形成されている。また、各弧状部材２０Ａ，２０Ｂの屈曲部分からＸ軸方向に延びる長辺側壁部１５の先端部分には係合突起１７が形成されている。
２つの弧状部材２０Ａ，２０Ｂは、互いの係合孔１８に係合突起１７を挿通・係合させることで互いに連結され、位置決め部材１０として構成される。すなわち、本実施形態においては、各弧状部材２０Ａ，２０Ｂに形成された係合孔１８及び係合突起１７によって、２つの弧状部材２０Ａ，２０Ｂを相互に連結する連結機構２１が構成されている。
【００２１】
そして、前述した傾斜案内面１３は、長辺側壁部１５の長手方向（Ｘ軸方向）の両端に２つ形成され、また、短辺側壁部１６の長手方向（Ｙ軸方向）の中途部に１つ形成されている。そして、各傾斜案内面１３は、長辺側壁部１５や短辺側壁部１６に略コ字状の切欠き２２を形成し、この切欠き２２に囲まれた折り曲げ壁部２３を矩形貫通孔１１の内方側に折り曲げることで形成される。
【００２２】
さらに、この位置決め部材１０において、長辺側壁部１５の長手方向の両端部には、矩形貫通孔１１の一端部側から矩形貫通孔１１の外側に突出する載置板部２５が形成されている。
また、長辺側壁部１５の長手方向の中途部には、矩形貫通孔１１の一端部側から矩形貫通孔１１の内側に屈曲し、さらにＺ軸方向に沿って矩形貫通孔１１の下方側（Ｚ軸の負方向側）に屈曲する断面略Ｌ字状の段差板部２６が形成されている。
【００２３】
以上のように構成される位置決め部材１０の収容空間１２には、以下に説明する雌型コネクタ２が収容される。
雌型コネクタ２は、平面視矩形状に形成されており、その一対の長辺の長手方向の中途部には、側方に突出して雄型コネクタ３に係合する係合部３１が一対形成されている。各係合部３１は、金属材料によって形成されており、雌型コネクタ２のうち挿入孔４が開口する先端面よりも上方（Ｚ軸の正方向）にも突出している。
この雌型コネクタ２は、例えば電子機器等の筺体や建物の壁部等の基台３３の搭載面３３ａ上に搭載されている。さらに詳述すれば、基台３３は雌型コネクタ２よりも幅広の平面視矩形状に形成された孔３４を備えており、雌型コネクタ２はこの孔３４の長辺方向（Ｘ軸方向）に跨るように搭載されている。なお、この搭載状態においては、平面視で雌型コネクタ２の係合部３１と孔３４の長辺との間に隙間が形成されている。
【００２４】
そして、位置決め部材１０は、基台３３の搭載面３３ａに搭載された雌型コネクタ２を収容空間１２に収容するように、基台３３の搭載面３３ａに搭載される。
この際には、雌型コネクタ２の係合部３１と基台３３の孔３４の長辺との隙間に段差板部２６を通過させると共に基台３３の孔３４に挿入する。なお、一対の段差板部２６間の距離は、孔３４の幅方向の寸法に対して一致する、あるいは、僅かに小さくなるように予め設定されており、これによって、基台３３の搭載面３３ａに対する位置決め部材１０の搭載位置が位置決めされる。また、この際には、両面テープ等の接着剤を介して位置決め部材１０の載置板部２５を基台３３の搭載面３３ａに接着する。
以上のように基台３３に搭載された位置決め部材１０及び雌型コネクタ２は、雄型コネクタ３の端子ピン５を雌型コネクタ２の挿入孔４に対して位置決めするための位置決め構造４０をなしている。なお、この構造においては、位置決め部材１０の傾斜案内面１３が、基台３３の搭載面３３ａから突出する雌型コネクタ２の先端部よりも上方に配置されている。
【００２５】
以上のように構成された位置決め構造４０に対して、雄型コネクタ３を雌型コネクタ２に挿し込む際には、雄型コネクタ３を矩形貫通孔１１の他端部側からこの矩形貫通孔１１に挿入すればよい。
そして、この挿入の際に、例えば雄型コネクタ３が雌型コネクタ２に対して挿し込み方向（Ｚ軸の負方向）に直交する方向（例えばＹ軸方向）にずれている場合には、Ｙ軸方向に対面する一の平坦内面１１ａに対向する雄型コネクタ３の一の側面の端部が、一の平坦内面１１ａに形成された傾斜案内面１３に当接する。このため、この当接状態から雄型コネクタ３をさらに挿し込み方向に移動させると、雄型コネクタ３が傾斜案内面１３によって矩形貫通孔１１の内方に案内されることになる。そして、このように案内された雄型コネクタ３は、その一の側面の反対側に位置する他の側面が、一の平坦内面１１ａに対向する他の平坦内面１１ａに形成された傾斜案内面１３に当接するため、結果として、雌型コネクタ２に対する雄型コネクタ３のずれを解消することができる。
【００２６】
また、挿入の際に、例えば図８に示すように、端子ピン５の長手方向が挿し込み方向に対して傾斜している場合でも、前述と同様に、雄型コネクタ３の一の側面の端部が、これに対向する一の平坦内面１１ａに形成された傾斜案内面１３に当接するため、雄型コネクタ３が傾斜案内面１３によって矩形貫通孔１１の内方に案内されることになる。そして、このように案内された雄型コネクタ３は、その一の側面の反対側に位置する他の側面が、他方の平坦内面１１ａに形成された傾斜案内面１３にも当接するため、結果として、端子ピン５の長手方向が挿し込み方向に一致するように雄型コネクタ３の向きを偏向することができる。
【００２７】
そして、上記実施形態による位置決め部材１０及び位置決め構造４０によれば、雄型コネクタ３の四つの側面に対向する全ての平坦内面１１ａに傾斜案内面１３が形成されているため、雄型コネクタ３を雌型コネクタ２に挿し込む際に、雄型コネクタ３が雌型コネクタ２に対して挿し込み方向の直交方向のいずれの方向にずれていても、雌型コネクタ２に対する雄型コネクタ３のずれを解消することができる。また、挿し込み方向に対して端子ピン５が傾斜する向きに係わらず、端子ピン５の長手方向が挿し込み方向に一致するように雄型コネクタ３の向きを偏向することもできる。したがって、雄型コネクタ３を雌型コネクタ２に挿し込む際には、雄型コネクタ３を雌型コネクタ２に対して位置決めすることができ、結果として、図９に示すように、雄型コネクタ３を雌型コネクタ２に挿し込むことができる。
【００２８】
また、傾斜案内面１３は、挿入孔４が開口する雌型コネクタ２の先端部よりも矩形貫通孔１１の他端部側に配されているため、端子ピン５が雌型コネクタ２の先端部に接触する前に雄型コネクタ３のずれや端子ピン５の向きを修正することができる。したがって、端子ピン５が雌型コネクタ２の先端部に当接することを防止し、端子ピン５の保護を図ることができる。
さらに、上記実施形態のように雌型コネクタ２の先端部に導電性を有する係合部３１が形成されていても、端子ピン５が係合部３１に接触することを防止できるため、複数の端子ピン５の間で電気的な短絡が発生することも防止できる。
また、位置決め部材１０は、雌型コネクタ２を配した基台３３の搭載面３３ａさえあれば何処でも設けることが可能であるため、汎用性の高い位置決め構造４０として構成することができる。
【００２９】
さらに、位置決め部材１０が２つの弧状部材２０Ａ，２０Ｂによって構成されているため、筒状の位置決め部材１０を一体に成形する場合と比較して容易に製造することができる。また、２つの弧状部材２０Ａ，２０Ｂが同一形状に形成されているため、位置決め部材１０の製造コストの削減を図ることができる。
また、位置決め部材１０が電気的な絶縁材料によって形成されているため、雄型コネクタ３を雌型コネクタ２に挿し込む際に、端子ピン５が平坦内面１１ａや傾斜案内面１３を含む矩形貫通孔１１の他端部側に接触しても、端子ピン５間で電気的な短絡が発生することを防止できる。
【００３０】
次に、本発明に係る第２実施形態について図１０〜１５を参照して説明する。なお、この実施形態に係る位置決め部材の大略構成は、第１実施形態の位置決め部材１０と同様であるため、第１実施形態の位置決め部材１０と同一の構成については同一の符号を付してその説明を省略する。
【００３１】
図１０〜１５に示すように、この実施形態に係る位置決め部材６０は、第１実施形態の位置決め部材１０と同様に、板状に形成されてＸ軸方向に沿って延びる一対の長辺側壁部６１と、板状に形成されてＹ軸方向に沿って延びる一対の短辺側壁部６２とから構成されている。なお、各傾斜案内面６３は、矩形貫通孔１１の一端部に周方向全体にわたって形成されており、矩形貫通孔１１の平坦内面１１ａよりも矩形貫通孔１１の径方向外側に広がるように形成されている。
【００３２】
そして、この位置決め部材６０は、各長辺側壁部６１の中途部において２つの弧状部材６５Ａ，６５Ｂに分割されており、各弧状部材６５Ａ，６５Ｂは、平面視略コ字状に屈曲された板状に形成されている。すなわち、この実施形態において、各弧状部材６５Ａ，６５Ｂは、１つの短辺側壁部６２とその両端から突出する２つの長辺側壁部６１の一部（以下、連結側壁部６７Ａ，６７Ｂと呼ぶ）を備えて構成されている。
【００３３】
２つの連結側壁部６７Ａ，６７Ｂのうち第一連結側壁部６７Ａには、その平坦内面１１ａから窪むと共に第一連結側壁部６７Ａの突出方向の先端部から短辺側壁部６２側に向けて延びる軌道用溝６８が形成されている。また、第二連結側壁部６７Ｂの突出方向の先端部には、軌道用溝６８に挿入可能な断面Ｌ字状の板状突起６９が形成されている。さらに、軌道用溝６８の形成部分及び板状突起６９には、長辺側壁部６１の厚さ方向に貫通する円形状の連結貫通孔７１，７２がそれぞれ形成されている。
なお、軌道用溝６８に形成される連結貫通孔７１は１つである。また、板状突起６９に形成される連結貫通孔７２は複数（逗子例では２つ）であり、これら複数の連結貫通孔７２は板状突起６９の突出方向に並べて形成されている。
【００３４】
２つの弧状部材６５Ａ，６５Ｂは、互いの軌道用溝６８に板状突起６９を挿入させると共に、軌道用溝６８及び板状突起６９の連結貫通孔７１，７２に同一の固定用ピン８０を挿通させることで互いに連結され、位置決め部材６０として構成されることになる。
すなわち、本実施形態においては、各弧状部材６５Ａ，６５Ｂに形成された軌道用溝６８及び板状突起６９によって、２つの弧状部材６５Ａ，６５Ｂを相互に連結する連結機構８２が構成されている。また、これら軌道用溝６８及び板状突起６９は、矩形貫通孔１１の相対する一対の辺の長さ寸法が変化するように、２つの弧状部材６５Ａ，６５Ｂを相互に摺動可能とする摺動機構８３を構成している。
【００３５】
以上のように構成される本実施形態の位置決め部材６０は、第１実施形態と同様に、基台３３の搭載面３３ａに搭載することが可能であり、基台３３に搭載された雌型コネクタ２と共に雄型コネクタ３の端子ピン５を雌型コネクタ２の挿入孔４に対して位置決めするための位置決め構造９０を構成することができる。
したがって、本実施形態の位置決め部材６０及びこれを用いた位置決め構造９０では、第１実施形態と同様の効果を奏する。また、本実施形態の位置決め部材６０によれば、２つの弧状部材６５Ａ，６５Ｂを摺動機構８３により相互に摺動させると共に、固定用ピン８０を挿通させる板状突起６９の連結貫通孔７２を適宜選択することで、矩形貫通孔１１を構成する一対の長辺側壁部６１の長さ寸法を変化させることができる。このため、平面視で矩形貫通孔１１の一辺の長さ寸法が相互に異なるコネクタ２，３に使用することが可能となる。すなわち、位置決め部材６０の汎用性がさらに向上し、その製造コスト削減をさらに図ることができる。
【００３６】
以上、本発明の一実施形態について説明したが、本発明の技術的範囲はこれに限定されることはなく、本発明の技術的思想を逸脱しない範囲で適宜変更可能である。
例えば、位置決め部材１０，６０は、その全体が電気的な絶縁材料によって形成されることに限らず、少なくとも雄型コネクタ３の端子ピン５が接触する可能性のある矩形貫通孔１１の他端部側のみが電気的な絶縁材料によって形成されていればよい。
なお、矩形貫通孔１１の一端部側には、雌型コネクタ２の収容空間１２とされていることから、端子ピン５が接触する可能性はない。したがって、例えば位置決め部材１０，６０を導電性材料によって形成すると共に、矩形貫通孔１１の他端部側に位置する平坦内面１１ａ及び傾斜案内面１３，６３に電気的な絶縁材料を塗布してもよい。
【図面の簡単な説明】
【００３７】
【図１】本発明の第１実施形態である位置決め部材を示す上面図である。
【図２】図１のＡ−Ａ矢視断面図である。
【図３】図１のＢ−Ｂ矢視断面図である。
【図４】図１のＣ−Ｃ矢視断面図である。
【図５】本発明の第１実施形態である位置決め構造を示す上面図である。
【図６】図５のＤ−Ｄ矢視断面図で示す位置決め構造に対して雄型コネクタを取り付ける前の状態を示す概略側面図である。
【図７】図５のＥ−Ｅ矢視断面図で示す位置決め構造に対して雄型コネクタを取り付ける前の状態を示す概略断面図である。
【図８】図７に示す位置決め構造に対して雄型コネクタを取り付ける際に、端子ピンの長手方向が挿し込み方向に対して傾斜している状態を示す概略断面図である。
【図９】図７に示す位置決め構造に対して雄型コネクタを取り付けた状態を示す概略断面図である。
【図１０】本発明の第２実施形態である位置決め部材を２つの弧状部材に分割した状態を示す上面図である。
【図１１】図１０の位置決め部材を側方から見た状態を示す側面図である。
【図１２】本発明の第２実施形態である位置決め部材において、２つの弧状部材を連結した状態を示す上面図である。
【図１３】図１２の位置決め部材を側方から見た状態を示す側面図である。
【図１４】図１２のＦ−Ｆ矢視断面図である。
【図１５】図１２のＧ−Ｇ矢視断面図である。
【図１６】従来のコネクタの位置決め構造の一例を示す断面図である。
【符号の説明】
【００３８】
２  雌型コネクタ
３  雄型コネクタ
４  挿入孔
５  端子ピン
１０  位置決め部材
１１  矩形貫通孔
１１ａ  平坦内面
１２  収容空間
１３  傾斜案内面
２０Ａ，２０Ｂ  弧状部材
２１  連結機構
３３  基台
３３ａ  搭載面
４０  位置決め構造
６０  位置決め部材
６３  傾斜案内面
６５Ａ，６５Ｂ  弧状部材
８２  連結機構
８３  摺動機構
９０  位置決め構造
【図１】
2010080398.tif 000003
【図２】
2010080398.tif 000004
【図３】
2010080398.tif 000005
【図４】
2010080398.tif 000006
【図５】
2010080398.tif 000007
【図６】
2010080398.tif 000008
【図７】
2010080398.tif 000009
【図８】
2010080398.tif 000010
【図９】
2010080398.tif 000011
【図１０】
2010080398.tif 000012
【図１１】
2010080398.tif 000013
【図１２】
2010080398.tif 000014
【図１３】
2010080398.tif 000015
【図１４】
2010080398.tif 000016
【図１５】
2010080398.tif 000017
【図１６】
2010080398.tif 000018